(57)【要約】【課題】発信電話番号表示サービスなどのサービスに対応した電話機を接続し、サービスを受けることができる回線切替装置及びデータ再生方法に関し、通信回線と通信端末装置と切替を効率的に行える回線切替装置及びデータ再生方法を提供することを目的とする。【解決手段】通信回線接続ポートからの着信を検出し、着信が検出されたとき、通信回線接続ポートから供給される接続元情報に対応する通信端末接続ポートを検索し、通信端末接続ポートに接続された通信端末装置が情報を受信可能な情報受信端末装置か否かを判定し、通信端末接続ポートに接続された通信端末装置が情報受信端末装置である場合には、情報受信端末装置に情報を供給するための着信処理を実行し、通信端末接続ポートに接続された該通信端末装置が該情報受信端末装置でない場合には、通常の着信処理を実行する。【選択図】　　　図８
2004088707.tif 000002
【特許請求の範囲】
【請求項１】
通信回線が接続される通信回線接続ポートと、通信端末装置が接続される複数の通信端末接続ポートと、前記通信回線接続ポート及び前記複数の通信端末接続ポートの接続を切り替える切替部とを含む回線切替装置において、
前記通信回線接続ポートからの着信を検出する着信検出部と、
前記着信検出部で着信が検出されたとき、前記通信回線接続ポートから供給される接続元情報に対応する通信端末接続ポートを検索し、該通信端末接続ポートに接続された通信端末装置が情報を受信可能な情報受信端末装置か否かを判定し、該通信端末接続ポートに接続された該通信端末装置が該情報受信端末装置である場合には、該情報受信端末装置に情報を供給するための着信処理を実行し、前記通信端末接続ポートに接続された該通信端末装置が該情報受信端末装置でない場合には、通常の着信処理を実行する制御部とを有することを特徴とする回線切替装置。
【請求項２】
前記制御部は、前記接続元情報を前記複数の通信端末接続ポートに予め登録された接続元情報と比較し、両方の接続情報が一致したとき、前記接続先通信端末ポートであると判定することを特徴とする請求項１記載の回線切替装置。
【請求項３】
設定スイッチを有し、
前記制御部は、前記設定スイッチが有効になったときに、前記複数の通信端末接続ポートに接続された通信端末装置によって、前記接続元情報を設定可能とすることを特徴とする請求項１又は２記載の回線切替装置。
【請求項４】
前記接続元情報は、発信電話番号又は着番号であることを特徴とする請求項１乃至３のいずれか一項記載の回線切替装置。
【請求項５】
前記接続元情報は、発信元の名称であることを特徴とする請求項１乃至４のいずれか一項記載の回線切替装置。
【請求項６】
前記接続元情報を切り替える切替部を有することを特徴とする請求項５記載の回線切替装置。
【請求項７】
前記制御部は、前記接続元情報の一部が合致した場合に、前記複数の通信端末接続ポートのうち前記接続元情報に対応する通信端末接続ポートに前記通信回線ポートを接続するように前記切替部を制御することを特徴とする請求項１乃至６のいずれか一項記載の回線切替装置。
【請求項８】
通信回線が接続される通信回線接続ポートと、通信端末装置が接続される複数の通信端末接続ポートと、前記通信回線接続ポート及び前記複数の通信端末接続ポートの接続を切り替える切替部とを含む回線切替装置において、
前記通信回線ポートからの着信を検出する着信検出部と、
前記着信検出部で着信が検出されたときに、前記通信回線ポートとの着信を行う第１の着信処理を行うとともに、該第１の着信処理と略同時に通信端末ポートへの着信を行う第２の着信処理を実行する制御部を有することを特徴とする回線切替装置。
【請求項９】
前記第１の着信処理にかかる時間より前記第２の着信処理にかかる時間が短いときには、前記第２の着信処理を所定時間遅延させることを特徴とする請求項８記載の回線切替装置。
【請求項１０】
前記第１の着信処理及び前記第２の着信処理は、前記通信回線接続ポートから供給される接続元情報に対応する通信端末接続ポートを検索し、該通信端末接続ポートに接続された通信端末装置が情報を受信可能な情報受信端末装置か否かを判定し、該通信端末接続ポートに接続された該通信端末装置が該情報受信端末装置である場合には、該情報受信端末装置に情報を供給するための着信を実行し、前記通信端末接続ポートに接続された該通信端末装置が該情報受信端末装置でない場合には、通常の着信を実行させる処理であることを特徴とする請求項８又は９記載の回線切替装置。
【請求項１１】
前記接続元情報は、発信電話番号又は着番号であることを特徴とする請求項８乃至１０のいずれか一項記載の回線切替装置。
【請求項１２】
前記接続元情報は、発信元の名称であることを特徴とする請求項８乃至１１のいずれか一項記載の回線切替装置。
【請求項１３】
通信回線が接続される通信回線接続ポートと、通信端末装置が接続される複数の通信端末接続ポートと、前記通信回線接続ポート及び前記複数の通信端末接続ポートの接続を切り替える切替部とを含む回線切替装置において、
前記通信回線接続ポートからの着信を検出する着信検出部と、
前記着信検出部で着信が検出されたとき、前記通信回線ポート側及び前記通信端末ポート側の各々に対して別々に所定の接続シーケンスを実行し、前記通信回線と前記通信端末装置との通信を可能とする切替制御部とを有することを特徴とする回線切替装置。
【請求項１４】
前記切替制御部は、前記接続シーケンスにより前記通信回線から得られた情報を記憶する記憶部を有し、
前記記憶部に記憶された情報に基づいて提供されたサービスを判定し、前記複数の通信端末接続ポートのうち前記サービスに対応した通信端末装置が接続された通信端末接続ポートに前記記憶部に記憶された情報を提供することを特徴とする請求項１３記載の回線切替装置。
【請求項１５】
前記切替制御部は、前記接続シーケンスにより前記通信回線から得られた情報が所定の情報提供サービスの情報である場合、前記複数の通信端末ポートのうち前記情報提供サービスに対応した通信端末装置が接続された通信端末ポートと前記通信回線ポートとを接続することを特徴とする請求項１３又は１４記載の回線切替装置。
【請求項１６】
前記切替制御部は、前記接続シーケンスにより前記通信回線から得られた情報が所定の情報提供サービスの情報である場合、前記通信回線ポートからの呼出信号を待たずに次の接続シーケンスを実行することを特徴とする請求項１３乃至１５のいずれか一項記載の回線切替装置。
【請求項１７】
入力信号に基づいてデータを再生するデータ再生方法であって、
前記アナログ信号を矩形波に変換する変換手順と、
前記変換部で変換された矩形波のパルス幅及びパルス間隔を測定する測定手順と、
前記測定手順で測定されたパルス幅及びパルス間隔に基づいてビットデータを判定するビットデータ判定手順と、
前記データ判定手順での判定結果に基づいてスタートビット及びストップビットを検出するとともに、該スタートビットを検出してから該ストップビットを検出するまでの間のビットデータを検出し、該ビットデータの配列に基づいて前記データを再生するデータ再生手順と、
前記データ再生手順で再生されたデータの正否を判定し、その判定結果、正常なデータを再生データとして採用するデータ判定手順とを有することを特徴とするデータ再生方法。
【請求項１８】
前記ビットデータ判定手順は、前記パルス幅又はパルス間隔が基準周波数に応じたパルス幅又はパルス間隔より大きいときには、第１のビットデータであると判定し、小さいときには、前記第１のビットデータを反転させた第２のビットデータであると判定することを特徴とする請求項１３記載のデータ再生方法。
【請求項１９】
前記データ判定手順は、前記データのパリティーエラー又はフレームエラーに基づいて前記データの正否を判定することを特徴とする請求項１７又は１８記載のデータ再生方法。
【請求項２０】
異なるタイミングで、前記データ再生手順及び前記データ判定手順を複数回、実行することを特徴とする請求項１７乃至１９のいずれか一項記載のデータ再生方法。
【発明の詳細な説明】
【０００１】
【発明の属する技術分野】
本発明の回線切替装置及びデータ再生方法に係り、特に、発信電話番号表示サービスなどのサービスに対応した電話機を接続し、サービスを受けることができる回線切替装置及びデータ再生方法に関する。
【０００２】
回線切替装置は、通信回線ポートと複数の通信端末ポートとを有し、通信回線ポートからの着信電話番号に基づいて複数の通信端末ポートから一つの通信端末ポートを自動的に選択して、通信回線ポートを接続する装置である。
【０００３】
一方、電話会社は、発信電話番号通知サービスや発信者情報通知サービスなどのサービスを提供している。発信電話番号通知サービスは、発信電話番号通知サービスに対応した通信端末装置に応答を行う前に発信電話番号を表示させるサービスである。また、発信者情報通知サービスは、発信者情報通知サービスに対応した通信端末装置に応答を行う前に発信者情報を表示させるサービスである。
【０００４】
回線切替装置には、このような発信電話番号通知サービスや発信者情報通知サービスなどを利用して回線を自動で切り替える機能を有するものがある。このとき、発信電話番号通知サービスや発信者情報通知サービスを効率よく利用できる回線切替装置が望まれていた。
【０００５】
【従来の技術】
図１は電話通信システムのシステム構成図を示す。
【０００６】
電話通信システム１は、加入電話回線網１１、通信端末装置１２、１３−１〜１３−ｎ、回線切替装置１４を含む構成とされている。
【０００７】
通信端末装置１２は、加入電話回線網１１を介して通信端末装置１３−１〜１３−ｎに対して発信を行う。加入電話回線網１１は、通信端末装置１２から発信に基づいて回線交換を行う。回線切替装置１４は、電話回線網１１からの着信要求を受け、回線切替装置１４に接続された通信端末装置１３−１〜１３−ｎのうちいずれかの通信端末装置１３−ｉで着信可能なように回線を切り替える。
【０００８】
このとき、発信電話番号通知サービスあるいは発信者情報通知サービスに対応した回線切替装置１４では、極性反転、又は、極性反転後、供給される情報受信端末起動信号（ＣＡＲ）を検知して、複数の通信端末ポート複数の予め登録された通信端末ポートに加入電話回線網１１が接続されるように回線を切り替える。
【０００９】
このとき、加入電話回線網１１が接続される通信端末ポートに発信電話番号通知サービスや発信者情報通知サービスに対応した通信端末装置１３−ｊを接続しておくことにより発信電話番号通知サービスや発信者情報通知サービスが享受できる構成とされている。また、このとき、回線切替装置１４は、発信電話番号通知サービスや発信者情報通知サービスを用いた付加機能として、受信した発信電話番号、あるいは、発信者情報に基づいて内線を切り替える機能を有する。
【００１０】
このとき、従来の回線切替装置は、加入電話回線網１１の極性反転、又はその後に加入電話回線網１１から供給される情報端末起動信号（ＣＡＲ信号）を検知すると、予め決定された所定の内線に接続された情報受信端末装置に接続する（例えば、特許文献１参照）。
【００１１】
【特許文献１】
特開平１１−２０５４８２号公報（第２頁から第３頁、図３）
【００１２】
【発明が解決しようとする課題】
しかるに、従来の回線切替装置１４は、予め決定された固定の内線に接続された情報受信端末装置により発信電話番号通知サービスや発信者情報通知サービスによる発信電話番号や発信者情報を受信し、情報受信端末装置により得られた発信電話番号や発信者情報により受信した発信電話番号、あるいは、発信者情報に基づいて内線を自動切替する付加的機能を実現していたため、一旦、固定の内線に接続された情報受信端末装置に接続する必要があったため、発信電話番号あるは発信者情報に応じた内線に加入電話回線網を接続するまでに時間がかかっていた。
【００１３】
また、固定の内線に発信電話番号通知サービスや発信者情報通知サービスを享受できる情報受信端末装置を接続する必要があったため、通信端末装置の接続の自由度が制限されるなどの問題点があった。
【００１４】
本発明は上記の点に鑑みてなされたもので、通信回線と通信端末装置と切替を効率的に行える回線切替装置及びデータ再生方法を提供することを目的とする。
【００１５】
【課題を解決するための手段】
本発明は、通信回線接続ポートからの着信が検出されたとき、通信回線接続ポートから供給される接続元情報に対応する通信端末接続ポートを検索し、通信端末接続ポートに接続された通信端末装置が情報を受信可能な情報受信端末装置か否かを判定し、通信端末接続ポートに接続された通信端末装置が情報受信端末装置である場合には、情報受信端末装置に情報を供給するための着信処理を実行し、通信端末接続ポートに接続された通信端末装置が情報受信端末装置でない場合には、通常の着信処理を実行することを特徴とする。
【００１６】
本発明によれば、通信回線接続ポートからの着信が検出されたとき、通信回線接続ポートから供給される接続元情報に対応する通信端末接続ポートを検索し、通信端末接続ポートに接続された通信端末装置が情報を受信可能な情報受信端末装置か否かを判定し、通信端末接続ポートに接続された通信端末装置が情報受信端末装置である場合には、情報受信端末装置に情報を供給するための着信処理を実行し、通信端末接続ポートに接続された通信端末装置が情報受信端末装置でない場合には、通常の着信処理を実行することにより、通信端末接続ポートに接続された情報受信端末装置で受信する必要がないので、迅速に着信を行わせることができる。また、装置内で発信電話番号又は発信者情報を受信し、その受信内容に基づいて通信端末接続ポートを選択するため、通信端末接続ポートに接続される通信端末装置を自由に設定できる。
【００１７】
また、本発明は、接続元情報を複数の通信端末接続ポートに予め登録された接続元情報と比較し、一致したとき、接続先通信端末ポートであると判定することを特徴とする。
【００１８】
本発明によれば、通信端末接続ポート毎に接続元情報を設定することにより接続する通信端末接続ポートを設定できる。
【００１９】
さらに、本発明は、設定スイッチを有効にしたとき、複数の通信端末接続ポートに接続された通信端末装置によって、接続元情報を設定可能とすることを特徴とする。
【００２０】
本発明によれば、設定スイッチを設け、設定スイッチを有効にすることにより、通信端末装置から接続元情報を設定できる。
【００２１】
また、接続元情報は、発信電話番号又はモデム着番号、あるいは、発信元の名称であることを特徴とする。
【００２２】
本発明によれば、発電話番号通知サービス、あるいは、モデムダイヤルインサービスあるいは、発信者情報通知サービスに対応できる。
【００２３】
本発明は、接続元情報を発信電話番号又はモデム着番号とするか、あるいは、発信元の名称とするかを切替可能としたことを特徴とする。
【００２４】
本発明によれば、電話会社での加入サービスが発信電話番号通知サービスか発信者情報通知サービスかに応じて接続元情報を切り替えることができ、加入サービス及び発信電話番号通知サービスの両方に対応できる。
【００２５】
本発明は、接続元情報の一部が合致した場合に、複数の通信端末接続ポートのうち接続元情報に対応する通信端末接続ポートに通信回線ポートを接続するようにしたことを特徴とする。
【００２６】
本発明によれば、接続元情報の一部が合致した場合に、複数の通信端末接続ポートのうち接続元情報に対応する通信端末接続ポートに通信回線ポートを接続することにより、受信エラーなどにより接続できないことがなくなる。
【００２７】
本発明は、通信回線ポートからの着信を検出し、通信回線ポートとの着信を行う第１の着信処理を行うとともに、第１の着信処理と略同時に通信端末ポートへの着信を行う第２の着信処理を実行することを特徴とする。
【００２８】
本発明によれば、通信回線ポートからの着信を検出し、通信回線ポートとの着信を行う第１の着信処理と通信端末ポートへの着信を行う第２の着信処理とを略同時に行うことにより通信回線ポートと通信端末ポートの接続を高速に行える。
【００２９】
本発明は、第１の着信処理にかかる時間より第２の着信処理にかかる時間が短いときには、第２の着信処理を所定時間遅延させることを特徴とする。
【００３０】
また、本発明によれば、第１の着信処理にかかる時間より第２の着信処理にかかる時間が短いときには、第２の着信処理を所定時間遅延させることにより、第２の着信処理を確実に行うことができる。
【００３１】
本発明は、第１の着信処理及び第２の着信処理で、通信回線接続ポートから供給される接続元情報に対応する通信端末接続ポートを検索し、通信端末接続ポートに接続された通信端末装置が情報を受信可能な情報受信端末装置か否かを判定し、通信端末接続ポートに接続された通信端末装置が情報受信端末装置である場合には、情報受信端末装置に情報を供給するための着信を実行し、通信端末接続ポートに接続された通信端末装置が情報受信端末装置でない場合には、通常の着信を実行させることを特徴とする。
【００３２】
本発明によれば、第１の着信処理及び第２の着信処理で、通信回線接続ポートから供給される接続元情報に対応する通信端末接続ポートを検索し、通信端末接続ポートに接続された通信端末装置が情報を受信可能な情報受信端末装置か否かを判定し、通信端末接続ポートに接続された通信端末装置が情報受信端末装置である場合には、情報受信端末装置に情報を供給するための着信を実行し、通信端末接続ポートに接続された通信端末装置が情報受信端末装置でない場合には、通常の着信を実行させることにより、接続元情報の設定に応じて着信先を自在に設定できる。
【００３３】
本発明は、接続元情報が、発信電話番号又はモデム着番号、あるいは、発信元の名称であることを特徴とする。
【００３４】
本発明によれば、発信電話番号又はモデム着番号、あるいは、発信元の名称を接続元情報とすることにより電話会社より提供されている発信電話番号通知サービス、あるいは、発信者情報通知サービスにより内線を自動切替できる。
【００３５】
さらに、本発明は、通信回線が接続される通信回線接続ポートと、通信端末装置が接続される複数の通信端末接続ポートと、通信回線接続ポート及び前記複数の通信端末接続ポートの接続を切り替える切替部とを含む回線切替装置において、通信回線接続ポートからの着信を検出する着信検出部と、着信検出部で着信が検出されたとき、通信回線ポート側及び複数の通信端末装置ポート側の各々に対して別々に所定の接続シーケンスを実行し、通信回線と通信端末装置との通信を可能とする切替制御部とを有することを特徴とする。
【００３６】
本発明によれば、着信検出部で着信が検出されたとき、通信回線ポート側及び複数の通信端末装置ポート側の各々に対して別々に所定の接続シーケンスを実行し、通信回線と通信端末装置との通信を可能とすることにより、情報提供サービスなどによる情報を受信した後に、受信した情報提供サービスに対応する通信端末装置が接続された通信端末ポートに情報を供給できるため、各種情報提供サービスを享受できる。
【００３７】
本発明は、切替制御部に、接続シーケンスにより前記通信回線から得られた情報を記憶する記憶部を設け、記憶部に記憶された情報に基づいて提供されたサービスを判定し、複数の通信端末接続ポートのうちサービスに対応した通信端末装置が接続された通信端末接続ポートに記憶部に記憶された情報を提供することを特徴とする。
【００３８】
本発明によれば、接続シーケンスにより前記通信回線から得られた情報を記憶する記憶部を設け、記憶部に記憶された情報に基づいて提供されたサービスを判定し、複数の通信端末接続ポートのうちサービスに対応した通信端末装置が接続された通信端末接続ポートに記憶部に記憶された情報を提供することにより、情報提供サービスなどによる情報を受信した後に、受信した情報提供サービスに対応する通信端末装置が接続された通信端末ポートに情報を供給できるため、各種情報提供サービスを享受できる。
【００３９】
また、本発明は、切替制御部により接続シーケンスにより通信回線から得られた情報が所定の情報提供サービスの情報である場合、複数の通信端末ポートのうち情報提供サービスに対応した通信端末装置が接続された通信端末ポートと通信回線ポートとを接続することを特徴とする。
【００４０】
本発明によれば、各種情報提供サービスに対応した通信端末装置で情報を受信できるため、各種情報提供サービスを享受できる。
【００４１】
本発明は、切替制御部により接続シーケンスにより通信回線から得られた情報が所定の情報提供サービスの情報である場合、通信回線ポートからの呼出信号を待たずに次の接続シーケンスを実行することを特徴とする。
【００４２】
本発明によれば、接続シーケンスにより通信回線から得られた情報が所定の情報提供サービスの情報である場合、通信回線ポートからの呼出信号を待たずに次の接続シーケンスを実行することにより、待ち時間を短縮できるため、接続時間を短縮できる。
【００４３】
また、本発明は、入力信号を矩形波に変換し、変換された矩形波のパルス幅及びパルス間隔を測定し、測定されたパルス幅及びパルス間隔に基づいてビットデータを判定して、その判定結果に基づいてスタートビット及びストップビットを検出するとともに、スタートビットを検出してからストップビットを検出するまでの間のビットデータを検出し、ビットデータの配列に基づいてデータを再生し、さらに、再生されたデータの正否を判定し、その判定結果に基づいてデータを再生データとして採用することを特徴とする。
【００４４】
本発明によれば、入力信号を矩形波に変換し、変換された矩形波のパルス幅及びパルス間隔を測定し、測定されたパルス幅及びパルス間隔に基づいてビットデータを判定して、その判定結果に基づいてスタートビット及びストップビットを検出するとともに、スタートビットを検出してからストップビットを検出するまでの間のビットデータを検出し、ビットデータの配列に基づいてデータを再生し、さらに、再生されたデータの正否を判定し、その判定結果に基づいてデータを再生データとして採用することにより、入力信号に含まれるデータを再生できる。
【００４５】
本発明は、パルス幅又はパルス間隔が基準周波数に応じたパルス幅又はパルス間隔より大きいときには、第１のビットデータであると判定し、小さいときには、第１のビットデータを反転させた第２のビットデータであると判定することを特徴とする。
【００４６】
本発明によれば、パルス幅又はパルス間隔を基準周波数のパルス幅又はパルス間隔と比較することにより、第１のビットデータ又は第２のビットデータを判定でき、２値化できる。
【００４７】
また、本発明は、データのパリティーエラー又はフレームエラーに基づいてデータの正否を判定することを特徴とする。
【００４８】
本発明によれば、再生データのパリティーエラー又はフレームエラーを検出することにより再生データが正常か、異常かを判定できる。
【００４９】
本発明は、異なるタイミングで、データの再生、判定を複数回、実行することを特徴とする。
【００５０】
本発明によれば、複数回のデータ再生、判定を行うことにより正しいデータを確実に取得できる。
【００５１】
【発明の実施の形態】
図２は本発明の一実施例のブロック構成図を示す。なお、図１と同一構成部分には同一符号を付し、その説明は省略する。
【００５２】
本実施例の回線切替装置１００は、通信回線接続ポート１１１、通信端末接続ポート１１２−１〜１１２−ｎ、切替部１１３、制御部１１４、モード切替スイッチ１１５、切替情報選択スイッチ１１６から構成される。
【００５３】
通信回線接続ポート１１１には、加入電話回線網などの通信回線１１が接続される。通信端末接続ポート１１２−１〜１１２−ｎには、電話機などの通信端末装置１３−１〜１３−ｎが接続される。
【００５４】
次に切替部１１３について説明する。
【００５５】
切替部１１３は、回線切替部１２１、内線切替部１２２−１〜１２２−ｎ、リンガ発信器１２３、スイッチ部１２４から構成され、制御部１１４からの指示に基づいて通信回線接続ポート１１１及びｎ個の通信端末接続ポート１１２−１〜１１２−ｎの間の接続を切り替える。回線切替部１２１は、通信回線接続ポート１１１の状態を検出し、制御部１１４に供給するとともに、制御部１１４からの指示に基づいてスイッチ部１２４又は内線切替部１２２−１〜１２２−ｎに切り替える。なお、回線切替部１２１の構成については後で詳細に説明する。
【００５６】
内線切替部１２２−１〜１２２−ｎは、通信端末接続ポート１１２−１〜１１２−ｎへの給電及び通信端末接続ポート１１２−１〜１１２−ｎのループの状態を検出して制御部１１４に供給する。また、内線切替部１２２−１〜１２２−ｎは、制御部１１４からの指示に基づいて通信端末接続ポート１１２−１〜１１２−ｎの接続を切り替える。内線切替部１２２−１〜１２２−ｎの構成については後で詳細に説明する。
【００５７】
リンガ発信器１２３は、リンガ信号を発生する。リンガ発信器１２３で発生されたリンガ信号は、内線切替部１２２−１〜１２２−ｎに供給される。スイッチ部１２４は、複数のスイッチが内蔵されており、回線切替部１２１、内線切替部１２２−１〜１２２−ｎ、信号処理部１３１、ＭＰＵ１３２が接続される。スイッチ部１２４は、ＭＰＵ１３２からの指示に基づいて回線切替部１２１、及び、信号処理部１３１、並びに、内線切替部１２２−１〜１２２−ｎ間の接続を切り替える。
【００５８】
次に制御部１４４について説明する。
【００５９】
制御部１１４は、信号処理部１３１、ＭＰＵ１３２、メモリ部１３３、リレー制御部１３４から構成される。制御部１１４は、メモリ部１３３に記憶されたファームウェアに基づいて動作しており、通信回線接続ポート１１１からの着信を検出し、着信が検出されたとき、通信回線接続ポート１１１から供給される接続元情報に対応する通信端末接続ポート１１２−１〜１１２−ｎを検索し、通信端末接続ポート１１２−１〜１１２−ｎに接続された通信端末装置１１３−１〜１１３−ｎが情報を受信可能な電話機か否かを判定し、通信端末接続ポート１１２−１〜１１２−ｎに接続された通信端末装置が電話会社が提供する発信電話番号通知サービスや発信者情報通知サービスに対応した装置である場合には、情報受信端末装置に情報を供給するための着信処理を実行し、通信端末接続ポート１１２−１〜１１２−ｎに接続された通信端末装置１１３−１〜１１３−ｎが発信電話番号通知サービスや発信者情報通知サービスなどに対応した装置でない場合には、通常の着信処理を実行する処理を行う。なお、制御部１１４での処理については後に詳細に説明する。
【００６０】
次に外線切替部１２１について詳細に説明する。
【００６１】
図３は外線切替部１２１のブロック構成図を示す。
【００６２】
外線切替部１２１は、トランス１４１、リレー１４２−１、１４２−２、着信検出部１４３、極性反転検出部１４４を含む構成とされている。外線切替部１２１には、通信回線接続ポート１１１が接続されている。通信回線接続ポート１１１は、リレー１４２−１、１４２−２がオンすると、トランス１４１の１次側に接続され、オフすると開放される。トランス１４１の２次側は、スイッチ部
また、通信回線接続ポート１１１には、着信検出部１４３及び極性反転検出部１４４が並列に接続されている。着信検出部１４３は、加入電話回線網１１から通信回線接続ポート１１１への着信を検出し、制御部１１４のＭＰＵ１３２に通知する。極性反転検出部１４４は、通信回線接続ポート１１１の極性反転を検出し、制御部１１４のＭＰＵ１３２に通知する。
【００６３】
また、通信回線接続ポート１１１は、内線切替部１２２−１〜１２２−ｎに接続されている。
【００６４】
次に内線切替部１２２−１〜１２２−ｎについて詳細に説明する。
【００６５】
図４は内線切替部１２２−１のブロック構成図を示す。
【００６６】
内線切替部１２２−１は、トランス１５１、リレー１５２−１、１５２−２、電源供給部１５３、リンガ制御部１５４、ループ検出部１５５を含む構成とされている。
【００６７】
トランス１５１は、１次側がスイッチ部１２４に接続され、２次側がリレー１５２−１、１５２−２の一方の固定接点に接続されている。
【００６８】
リレー１５２−１、１５２−２の他方の固定接点は、通信回線接続ポート１１１に接続されている。また、リレー１５２−１の可動接点は、通信端末接続ポート１１２−１に接続され、リレー１５２−２の可動接点は、ループ検出部１５５を介して通信端末接続ポート１１２−１に接続されている。リレー１５２−１及びリレー１５２−２は、制御部１１４のリレー制御部１３４からのリレー駆動信号によって駆動され、可動接点が固定接点のいずれかに接続される。
【００６９】
電源供給部１５３は、トランス１５１の２次側に接続され、電源を供給する。リンガ制御部１５４には、リンガ発信器１２３からリンガ信号が供給されている。リンガ制御部１５４は、リンガ信号の通信端末ポート１１２−１への供給を制御部１１４のＭＰＵ１３２からの指示に基づいて制御される。ループ検出部１５５は、ループを検出して、その検出結果を制御部１１４のＭＰＵ１３２に供給する。
【００７０】
なお、内線切替部１２２−２〜１２２−ｎは、内線切替部１２２−１と同様な構成であるため、その説明は省略する。
【００７１】
次に信号処理部１３１の構成を説明する。
【００７２】
図５は信号処理部１３１のブロック構成図を示す。
【００７３】
信号処理部１３１は、モデム部１４１、ＰＢ受信器１４２、ＤＴ／ＢＴ／ＲＢＴ発生器１４３から構成されている。
【００７４】
モデム部１４１は、モデム信号の復号化を行う。ＰＢ受信器１４２は、ＰＢ信号を受信する。ＤＴ／ＢＴ／ＲＢＴ発生器１４３は、ＭＰＵ１３２からの指示に基づいてＤＴ／ＢＴ／ＲＢＴ信号を生成し、スイッチ部１２４に供給する。
【００７５】
ここで、モデム部１４１について詳細に説明する。
【００７６】
図６はモデム部１４１の回路構成図を示す。
【００７７】
モデム部１４１は、増幅回路１５１及び比較回路１５２から構成される。
【００７８】
増幅回路１５１は、オペアンプＯＰ、抵抗Ｒ１、Ｒ２、コンデンサＣ１から構成されており、入力信号を増幅する。増幅回路１５１で増幅された入力信号は、比較回路１５２に供給される。比較回路１５２は、コンパレータＣＭＰ、抵抗Ｒ１１、Ｒ１２から構成されており、入力信号をそのレベルに応じて２値化する。比較回路１５２で２値化されたパルス信号は、ＭＰＵ１３２に供給される。次に、モデム部１４１の動作を説明する。
【００７９】
図７は、モデム部１４１の動作波形図を示す。図７（Ａ）はビットデータ「０」に対応するモデム信号、図７（Ｂ）はビットデータ「１」に対応するモデム信号、図７（Ｃ）はビットデータ「１」に対応するモデム部１４１の出力矩形波、図７（Ｄ）はビットデータ「０」に対応するモデム部１４１の出力矩形波を示す。
【００８０】
モデム部１４１には、スイッチ部１２４から図７（Ａ）又は図７（Ｂ）に示すようなモデム信号が供給される。モデム信号はビットデータに応じて周波数が異なる。モデム信号は、例えば、ビットデータ「０」のときには、図７（Ａ）に示すように２１００Ｈｚとなり、ビットデータ「１」のときには、図７（Ｂ）に示すように１３００Ｈｚとなる。
【００８１】
モデム信号は、モデム部１４１の増幅回路１５１で増幅された後、比較回路１５２に供給される。比較回路１５２は、モデム信号をＧＮＤレベルでスライスする。これによって、図７（Ａ）のモデム信号は、図７（Ｃ）に示すような矩形波に変換され、図７（Ｂ）のモデム信号は、図７（Ｄ）に示すような矩形波に変換される。
【００８２】
図７（Ｃ）に示すようにビットデータ「０」に対応する矩形波のパルス幅は、２３８μｓとなる。また、図７（Ｄ）に示すようにビットデータ「１」に対応する矩形波のパルス幅は、３８５μｓとなる。
【００８３】
ＭＰＵ１３２には、モデム部１４１の出力矩形波が供給される。ＭＰＵ１３２は、モデム部１４１からの出力矩形波のパルス幅に応じてビットデータを判定する。なお、ＭＰＵ１３２によるビット判定処理については後で詳細に説明する。
【００８４】
次に本実施例の着信時の動作について説明する。
【００８５】
まず、ＭＰＵ１３２での処理について説明する。
【００８６】
図８、図９はＭＰＵ１３２の着信時の処理フローチャート、図１０は内線呼出処理のシーケンス図を示す。
【００８７】
ＭＰＵ１３２は、ステップＳ１−１で極性反転を検出すると、ステップＳ１−２で情報受信端末装置内線呼出処理を起動する。なお、情報受信端末装置内線呼出処理については後で詳細に説明する。
【００８８】
次にＭＰＵ１３２は、ステップＳ１−３で情報受信端末起動信号（ＣＡＲ）を受信したか否かを判定する。ＭＰＵ１３２は、ステップＳ１−３で情報受信端末起動信号を受信していない場合には、ステップＳ１−４で復極を受信したか否かを判定する。ＭＰＵ１３２は、ステップＳ１−４で復極を受信しない場合には、ステップＳ１−３に戻って情報受信端末起動信号の受信を検知する。
【００８９】
また、ＭＰＵ１３２は、ステップＳ１−４で復極を受信した場合には、ステップＳ１−５で、情報受信端末装置対応内線呼出処理を停止し、ステップＳ１−１に戻って極性反転の検知を待機する。
【００９０】
ＭＰＵ１３２は、ステップＳ１−３で情報受信端末起動信号を受信すると、ステップＳ１−６で１次応答を行う。１次応答に応じて加入者電話回線網から発信電話番号、発信者情報、あるいはモデムダイヤルインサービスによる着信番号などの情報が供給される。次に、ＭＰＵ１３２は、ステップＳ１−７で発信電話番号、発信者情報、あるいは、モデムダイヤルインサービスによる着信番号などの情報を受信する。なお、ステップＳ１−７の情報受信処理については後で詳細に説明する。
【００９１】
次にＭＰＵ１３２は、ステップＳ１−８で受信情報をメモリに予め記憶された登録情報と照合する。ＭＰＵ１３２は、受信情報を照合した後、ステップＳ１−９で受信完了信号を送出する。ＭＰＵ１３２は、受信完了信号送出後、ステップＳ１−１０で受信情報の照合結果から、呼び出す内線が情報受信端末装置か否かを判定する。
【００９２】
ＭＰＵ１３２は、ステップＳ１−１０で呼び出す内線が情報受信端末装置ではない場合には、ステップＳ１−１１で情報処理端末装置対応内線呼出処理を停止させ、ステップＳ１−１２で予め指定された内線の呼び出しを開始する。
【００９３】
ＭＰＵ１３２は、ステップＳ１−１３で回線からのＩＲを検出する。ＭＰＵ１３２は、ステップＳ１−１３でＩＲがない場合には、ステップＳ１−１４で復極を受信したか否かを判定する。ＭＰＵ１３２はステップＳ１−１４で復極を受信すると、ステップＳ１−１に戻って待機状態となる。
【００９４】
また、ＭＰＵ１３２はステップＳ１−１４で復極が受信されないときには、ステップＳ１−１３に戻ってＩＲの受信を待機する。
【００９５】
また、ＭＰＵ１３２は、ステップＳ１−１３でＩＲを受信した場合には、ステップＳ１−１５で内線が応答したか否かを判定する。ＭＰＵ１３２は、ステップＳ１−１５で対応する内線からの応答を検出すると、ステップＳ１−１６で内線の呼出を停止し、ステップＳ１−１７でリレー制御部１３４を制御して内線直結リレーをオンする。
【００９６】
以上により内線による通話が可能となる。
【００９７】
ＭＰＵ１３２は、ステップＳ１−１８で内線のオンフックを検出すると、ステップＳ１−１９でリレー制御部１３４を制御して内線直結リレーがオフし、ステップＳ１−１に戻り、待機状態となる。
【００９８】
以上により一連の着信処理が終了する。
【００９９】
次に、ステップＳ１−２の情報受信端末対応内線呼出処理について詳細に説明する。
【０１００】
図１１は情報通知サービス対応内線呼出処理のフローチャートを示す。
【０１０１】
ＭＰＵ１３２は、ステップＳ２−１で時間ｔ２と時間ｔ１との大小を比較する。時間ｔ１は、ステップＳ１−１で極性反転が検出されてから、ステップＳ１−８の情報検索が終了するまでの時間を示している。また、時間ｔ２は、ステップＳ１−２で発信電話番号通知サービスなどの情報通知サービス対応内線呼出処理が実行され、内線呼出を開始してからステップＳ１−６で情報受信端末装置から１次応答があるまでの時間を示している。
【０１０２】
時間ｔ１が時間ｔ２より小さい場合には、ステップＳ２−３で情報受信端末装置対応内線へのＣＡＲ信号の送出を開始する。これによって、回線切替装置は加入電話回線網から情報を受信した後、最短時間で情報受信端末装置に情報を送出できる。
【０１０３】
また、時間ｔ１が時間ｔ２より大きい場合には、同時に情報端末接続ポートへの呼出を行うと、回線切替装置が加入電話回線網１１から情報を受信する前に情報受信端末装置が応答することになるため、よって、ステップＳ２−２で時間（ｔ１−ｔ２）だけ遅延させた後、ステップＳ２−３を実行する。
【０１０４】
ＭＰＵ１３２は、ステップＳ２−３でＣＡＲ信号送出後、ステップＳ２−４で情報受信端末装置からの１次応答を待つ。ＭＰＵ１３２は、ステップＳ２−４で情報受信端末装置から１次応答があると、ステップＳ２−５でＣＡＲ信号の送出を停止する。次にＭＰＵ１３２は、ステップＳ２−６で情報受信端末装置に発信電話番号などの情報を送出する。
【０１０５】
次にＭＰＵ１３２は、ステップＳ２−７で情報受信端末装置からの受信完了信号を待つ。ＭＰＵ１３２は、ステップＳ２−７で情報受信端末装置から受信完了信号を受信すると、ステップＳ２−８で情報受信端末装置へのＩＲ信号の送出を開始する。
【０１０６】
以上により情報通知サービス対応内線呼出処理は終了となる。
【０１０７】
ここで、情報通知サービス対応内線呼出処理についてより詳細に説明を行う。
【０１０８】
図１２、図１３は、内線呼出処理のタイミングチャートを示す。
【０１０９】
図１２（Ａ）、図１３（Ａ）は、回線切替装置が加入電話回線網１１から情報を受信するタイミング、図１２（Ｂ）、図１３（Ｂ）、図１３（Ｃ）は、回線切替装置が情報を情報受信端末装置に送出するタイミングを示している。
【０１１０】
図１２に示すように回線切替装置が加入電話回線網１１から情報を受信し終わってから、回線切替装置から情報受信端末装置への情報を送信すると、情報受信端末装置に情報が表示されるまでに時間がかかる。そこで、図１３に示すように回線切替装置は、加入電話回線網１１からＣＡＲ信号が受信すると同時に着信があると同時に、情報受信端末装置にＣＡＲ信号を送出する。これによって、図１３（Ｂ）に示すように回線切替装置が加入電話回線網１１から情報を受信した後、最短時間で回線切替装置から情報受信端末装置に情報を送出できる。また、図１３（Ｃ）に示すように指定内線以外の情報受信端末装置にＣＡＲ信号が送出された場合でも、直ちにＣＡＲ信号を停止することができる。よって、指定内線以外の情報受信端末装置が１次応答することはない。
【０１１１】
次にステップＳ１−７の情報受信処理について詳細に説明する。
【０１１２】
図１４は、情報受信処理のフローチャートを示す。
【０１１３】
ＭＰＵ１３２は、情報受信処理時には、まず、ステップＳ３−１でスタートビット検出を行う。スタートビット検出は、スタートビットを検出するための処理である。なお、スタートビット検出については、後で詳細に説明する。
【０１１４】
ＭＰＵ１３２は、ステップＳ３−１でスタートビットを検出すると、ステップＳ３−２でタイミング３Ｔ（３周期）を待機する。なお、ここで、Ｔ（１周期）は、ビットデータ、１ビット分の時間を７で割った時間とする。本実施例では、１ビット分の時間は、１／１２００（ｂｐｓ）≒８３３μｓである。
【０１１５】
次に、ＭＰＵ１３２は、ステップＳ３−３でビット測定処理を行う。ビット測定処理は、ビットデータを決定するための処理である。なお、ビット測定処理については後で詳細に説明する。
【０１１６】
ＭＰＵ１３２は、ステップＳ３−４で１文字分のビットデータが受信できたか否かを判定する。ＭＰＵ１３２は、ステップＳ３−４で１文字分のビットデータが受信できないときには、ステップＳ３−５で２Ｔ経過した後、ステップＳ３−３で再びビット計測を行う。
【０１１７】
また、ＭＰＵ１３２は、ステップＳ３−４で１文字分のビットデータを受信した場合には、ステップＳ３−６でストップビットが正常か否かを判定する。ＭＰＵ１３２は、ステップＳ３−６でストップビットが異常、例えば、「０」であれば、異常終了とする。
【０１１８】
また、ＭＰＵ１３２は、ステップＳ３−６でストップビットが正常、例えば、「１」であれば、ステップＳ３−７でパリティーチェックを行う。ＭＰＵ１３２は、ステップＳ３−７でパリティーエラーが検出されると、異常終了とする。また、ＭＰＵ１３２は、ステップＳ３−７でパリティーエラーが検出されなければ、ステップＳ３−８で全文字の受信が完了したか否かを判定する。
【０１１９】
ＭＰＵ１３２は、ステップＳ３−８で全文字の受信を完了していない場合には、ステップＳ３−１に戻って次の文字を受信するための処理を行う。また、ステップＳ３−８で全文字の受信が完了すると、ステップＳ３−９でＣＲＣ（ｃｙｃｌｉｃｒｅｄｕｎｄａｎｃｙ　ｃｈｅｃｋ：巡回冗長検査）を行う。ＭＰＵ１３２は、ステップＳ３−９での検査結果がエラーの場合には、異常終了とする。また、ＭＰＵ１３２は、ステップＳ３−９での検査結果がエラーでない場合には、正常終了する。
【０１２０】
以上により情報受信処理は終了となる。
【０１２１】
次にステップＳ３−１のスタートビット検出処理について詳細に説明する。
【０１２２】
図１５、図１６はスタートビットを説明するための図を示す。図１５（Ａ）はモデム信号、図１６（Ｂ）はモデム部１４１の出力矩形波を示す。
【０１２３】
スタートビットは、図１５に示すようにマークビットとデータビットとの間に配置され、データビットの始まりを示すために用いられる。マークビットは、図１５に示すようにビットデータ「１」のパルス幅に応じたパルスが複数周期に亘って連続して出力される構成とされている。また、スタートビットは、マークビットの直後に配置され、ビットデータ「０」に応じたパルス幅のパルスから構成される。スタートビットを構成するパルスは、１ビット分出力される。データビットは、スタートビットの後に配置されており、データに応じたパルス幅のパルスから構成されている。
【０１２４】
このとき、スタートビットは、図１６（Ａ）に示すようにローレベルがビットデータ「０」に対応するパルス幅である２３８μｓ±αだけ連続した後、ハイレベルがビットデータ「０」に対応するパルス幅である２３８μｓ±αだけ連続したときに検出される。また、スタートビットは、図１６（Ｂ）に示すようにハイレベルがビットデータ「０」に対応するパルス幅である２３８μｓ±αだけ連続した後、ローレベルがビットデータ「０」に対応するパルス幅である２３８μｓ±αだけ連続したときに検出される。このため、スタートビット検出処理は、図１６（Ａ）、（Ｂ）の両方のパターンが検出できるような処理とされている。
【０１２５】
図１７はスタートビット検出処理のフローチャートを示す。
【０１２６】
ＭＰＵ１３２は、ステップＳ４−１でモデム部１４１から供給される矩形波の変化、すなわち、エッジを検出すると、ステップＳ４−２でパルス幅の測定を開始し、ステップＳ４−３で矩形波が変化する、すなわち、次のエッジが検出されるまで、パルス幅を測定する。ＭＰＵ１３２は、ステップＳ４−３で矩形波の変化を検出すると、ステップＳ４−４でパルス幅測定を停止する。
【０１２７】
次に、ＭＰＵ１３２は、ステップＳ４−５で測定したパルス幅が２３８μｓ±αか否かを判定する。ＭＰＵ１３２は、ステップＳ４−５で測定したパルス幅が２３８μｓ±αでない場合には、スタートビットではないと判断して、ステップＳ４−１に戻って次の矩形波の変化を待つ。
【０１２８】
また、ＭＰＵ１３２は、ステップＳ４−５で測定したパルス幅が２３８μｓ±αであれば、スタートビットの可能性があると判断して、次に、ステップＳ４−６で矩形波の反対極性のパルス幅の測定を開始する。ＭＰＵ１３２は、ステップＳ４−７で矩形波の変化を検出すると、ステップＳ４−８でパルス幅の測定を停止させる。これにより逆極性のパルス幅が測定される。
【０１２９】
次にＭＰＵ１３２は、ステップＳ４−９でパルス幅が２３８μｓ±αであるか否かを判定する。ＭＰＵ１３２は、ステップＳ４−９で測定したパルス幅が２３８μｓ±αでない場合には、スタートビットではないと判断して、ステップＳ４−１に戻って再度スタートビットの検出を行う。また、ＭＰＵ１３２は、ステップＳ４−９で測定したパルス幅が２３８μｓ±αであれば、スタートビットであると判定してスタートビット検出処理を終了する。
【０１３０】
以上によりスタートビット検出処理は終了する。
【０１３１】
次にビット判定処理について詳細に説明する。
【０１３２】
図１８はビット判定処理のフローチャートを示す。
【０１３３】
ＭＰＵ１３２は、ステップＳ５−１で測定時間（５Ｔ、なお、Ｔは１周期である）の計時を開始する。ＭＰＵ１３２は、ステップＳ５−３で測定時間（５Ｔ）が終了するまでの間、ステップＳ５−２で矩形波の変化を検出する。ＭＰＵ１３２は、測定時間（５Ｔ）内にステップＳ５−２で矩形波の変化が検出されると、ステップＳ５−４でパルス幅の測定を開始する。
【０１３４】
ＭＰＵ１３２は、ステップＳ５−４でパルス幅の測定を開始してから、ステップＳ５−５で矩形波の変化を検出する。ＭＰＵ１３２は、ステップＳ５−５で矩形波の変化を検出すると、ステップＳ５−６でパルス幅の測定を停止し、ステップＳ５−７で測定結果を記憶し、ステップＳ５−８で再びパルス幅の測定を開始する。ＭＰＵ１３２は、測定時間（５Ｔ）を計測しており、ステップＳ５−９で測定時間（５Ｔ）が終了するまで、ステップＳ５−５〜ステップＳ５−８を繰り返す。以上により各パルス幅が測定される。
【０１３５】
次にＭＰＵ１３２は、ステップＳ５−９で測定時間（５Ｔ）が終了すると、ステップＳ５−１０でパルス幅測定を停止し、ステップＳ５−１１でパルス幅の測定結果を判定する。
【０１３６】
ＭＰＵ１３２は、ステップＳ５−１１でパルス幅が２３８μｓ±αのときには、ステップＳ５−１１でビットデータを「０」と判定する。また、ＭＰＵ１３２は、ステップＳ５−１１でパルス幅が３８５μｓ±αのときには、ステップＳ５−１３でビットデータを「１」と判定する。また、ＭＰＵ１３２は、ステップＳ５−１１でパルス幅が測定結果が存在しない場合には、ビットデータ「０」を判定するためのパルス幅２３８μｓ±αよりは十分に長いので、ステップＳ５−１４でビットデータを「１」と判定する。
【０１３７】
以上によりビットデータが判定され、ビットデータ判定処理は終了する。
【０１３８】
なお、ビット判定処理を異なるタイミングで並列に実行するようにしてもよい。
【０１３９】
図１９、図２０はビット判定処理の変形例の動作説明図を示す。図１９（Ａ）、図２０（Ａ）はモデム信号、図１９（Ｂ）、図２０（Ｂ）はモデム部１４１の出力矩形波、図１９（Ｃ）、図１９（Ｄ）、図２０（Ｃ）、図２０（Ｄ）は受信タイミングを示す。
【０１４０】
図１９（Ｃ）に示すように時刻ｔ０でスタートビットを検出した後、３Ｔ経過後、５Ｔの間、ビットデータを判定する。その後、２Ｔ経過した後、再び５Ｔの間、ビットデータを判定する。これを繰り返すことにより、ビットデータが判定される。このとき、図１９（Ｄ）に示すように２３８μｓ遅延させて、図１９（Ｃ）と同様にビットデータの判定を行う。
【０１４１】
例えば、図２０（Ｃ）に示すように時刻ｔ１０でスタートビットを誤認して、図１９（Ｃ）と同様にビットデータを判定した場合には、ビットデータ判定のタイミングがずれるため、エラーとなる。これに対して図２０（Ｄ）に示すように２３８μｓ遅延したタイミングｔ１１でビットデータの判定を行う場合には、図１９（Ｄ）に示すようにビットデータ判定のタイミングがビットデータを含む区間Ｔ０に含まれるため、正常にビットデータの判定を行うことができる。
【０１４２】
このように、異なるタイミングで並列してビットデータ判定を行うことにより、エラーを低減できる。
【０１４３】
なお、制御部１１４は、モード切替スイッチ１１５が有効になったときに、ｎ個の通信端末接続ポート１１２−１〜１１２−ｎに接続された通信端末装置１１２−１〜１１２−ｎによって、接続元情報を設定可能とされている。
【０１４４】
例えば、モード切替スイッチ１１５を有効にして、通信端末接続ポート１１２−１〜通信端末接続ポート１１２−ｎのうち所定の通信端子接続ポート１１２−ｉに接続された通信端末装置をオフフックすると、通信端末装置に登録が可能であることを示す音が出力される。登録可能であることを示す音は、通常のオフフック時とは異なる音であり、例えば、「ププー、ププーーーー」という音である。
【０１４５】
次に「番号登録記号」、「内線番号」、「登録番号」を続けてダイヤルすることで、登録が完了する。「番号登録記号」は、予め設定された固定のダイヤル番号であり、例えば、「９」である。「内線番号」は、着信を行う発信電話番号が登録される内線の番号である。「登録番号」は、着信を許可する発信電話番号である。
【０１４６】
なお、登録が完了すると、登録が完了したことを示す音が出力される。登録が完了したことを示す音は、通常のオフフック時や登録可能であることを示す音とは異なる音であり、例えば、「プププププ」という音である。その後、再び、通信端末装置に登録が可能であることを示す、例えば、「ププー、ププーーーー」という音が出力される。これにより続けて他の内線の登録が可能となる。
【０１４７】
以上のように、本実施例によれば、通信端末装置により着信を可能とする発信電話番号の登録を可能とする。
【０１４８】
また、制御部１１４は、識別情報選択スイッチ１１６の設定によりモデムダイヤルインサービスや発信者情報通知サービスにも対応できる。例えば、識別情報選択スイッチ１１６によりモデムダイヤルインサービスが選択された場合には、モデムダイヤルインサービスの着番号により通信回線接続ポート１１１が接続される通信端末接続ポートが選択される。また、識別情報選択スイッチ１１６により発信者情報通知サービスが選択された場合には、発信者情報通知サービスの発信者情報により通信回線接続ポート１１１に接続される通信端末接続ポートが選択される。
【０１４９】
また、発信電話番号、着番号、発信者情報のすべてが一致した場合に限らず、発信電話番号、着番号、発信者情報の一部が合致した場合に、対応する通信端末接続ポートに通信回線ポート１１１を接続するようにしてもよい。
【０１５０】
なお、本実施例では、発信者番号通知サービスへの対応について説明を行ったが、これに限定されるものではなく、他にＬモードなどの情報提供サービスに適用することも可能である。
【０１５１】
図２１は本発明の第２実施例の情報提供サービス時の動作説明図を示す。
【０１５２】
Ｌモードなどの情報提供サービスにより加入電話回線網１１よりメール等のサービス情報が通知される場合について説明する。まず、ステップＳ６−１で回線切替装置１４の加入電話回線網１１が接続されたポートの極性が反転された後、ステップＳ６−２で加入電話回線網１１から呼出信号が送出される。回線切替装置１４は、ステップＳ６−３で呼出信号に応答して直流ループを閉結する。
【０１５３】
加入電話回線網１１は回線切替装置１４で直流ループが閉結されると、ステップＳ６−４でＬモードなどによるサービス情報を送出する。
【０１５４】
図２２はサービス情報のデータ構成図を示す。
【０１５５】
加入電話回線網１１から供給されるサービス情報２００は、主に、マークビット２１１、ＤＬＥ（ｄａｔａ　ｌｉｎｋ　ｅｓｃａｐｅ　ｃｈａｒａｃｔｅｒ）２１２、ＳＯＨ（ｓｔａｒｔ　ｏｆ　ｈｅａｄｉｎｇ　ｃｈａｒａｃｔｅｒ）２１３、ヘッダ２１４、ＤＬＥ２１５、ＳＴＸ（ｓｔａｒｔ　ｏｆ　ｔｅｘｔ　ｃｈａｒａｃｔｅｒ）２１６、情報２１７、ＤＬＥ２１８、ＥＴＸ（ｅｎｄ　ｏｆ　ｔｅｘｔ　ｃｈａｒａｃｔｅｒ）２１９、ＣＲＣ（ｃｙｃｌｉｃ　ｒｅｄｕｎｄａｎｃｙ　ｃｈｅｃｋ　ｃｈａｒａｃｔｅｒ）２２０から構成される。
【０１５６】
マークビット２１１は符号「１」の連続であり、サービス情報の送出を示すビットである。ＤＬＥ２１５は、透過モード用制御記号であり、制御記号の前に付加される。ＳＯＨ２１３は、情報メッセージのヘディングの開始を示す符号である。
【０１５７】
ヘッダ２１４は、加入電話回線網１１から端末装置１３への情報送出である旨を示す情報である。ＤＬＥ２１５は、ＤＬＥ２１２と同様に透過モード用制御記号であり、制御記号の前に付加される。
【０１５８】
ＳＴＸ２１６は、テキストの開始及びヘッディングの終了を示す符号である。情報２１７は、サービス種別２２１、メッセージ内容長２２２、パラメータ２２３−１〜２２３−ｎを含む構成とされている。サービス種別２２１は、提供される情報サービスの種別を示すものであり、Ｌモードなどの情報提供サービス、発信電話番号通知サービスなどを識別するためのものである。
【０１５９】
メッセージ内容長２２２は、パラメータ２２３−１〜２２３−ｎまでの総バイト数を示す情報である。パラメータ２２３−１〜２２３−ｎは、夫々パラメータ種別２３１、情報内容長２３２、情報内容２３３を含む構成とされている。
【０１６０】
パラメータ種別２３１は、パラメータの種別を示す情報である。情報内容長２３２は、情報内容２３３のバイト数を示す情報である。情報内容２３３にＬモードなどによる提供情報や発信電話番号などの情報が配置されている。
【０１６１】
ＤＬＥ２１８は、ＤＬＥ２１３、２１５と同様に透過モード用制御記号であり、制御記号の前に付加される。ＥＴＸ２１９は、テキストの終わりを示す符号である。ＣＲＣ２２０は、情報の誤りを検査するための符号である。
【０１６２】
回線切替装置１４は、図２２に示すような構成の受信データ２１２〜２２０を記憶する。次に回線切替装置１４は、ステップＳ６−５で直流ループを開放する。加入電話回線網１１は、ステップＳ６−６で回線切替装置１４による直流ループの開放に応答して極性を元の極性に復帰させ、待機状態とする。
【０１６３】
一方、回線切替装置１４は、受信したサービス情報がＬモードなどの情報提供サービスの情報であるか否かを判定する。回線切替装置１４は、上記サービス情報のうち情報２１７に含まれるサービス種別２２１を参照することにより、上記判断を行う。
【０１６４】
回線切替装置１４は、受信したサービス情報がＬモードなどの情報提供サービスの情報である場合には、ステップＳ６−１１で電話機専用ポートの極性を反転した後、ステップＳ６−１２で呼出信号を送出する。電話機専用ポートに接続された電話機１３−１１は、Ｌモードなどの情報提供サービス対応の電話機１３−１１であり、回線切替装置１４から呼出信号が供給されると、ステップＳ６−１３で直流ループを閉結する。
【０１６５】
電話機１３−１１により直流ループが閉結されると、回線切替装置１４はステップＳ６−４で記憶したＬモードなどのサービス情報を電話機１３−１１に送出する。電話機１３−１１は、ステップＳ６−１５で回線切替装置１４からのサービス情報を記憶するとともに、ディスプレイ上に表示する。
【０１６６】
また、電話機１３−１１はサービス情報を受信し終われると、ステップＳ６−１５で直流ループを開放する。回線切替装置１４は、電話機１３−１１により直流ループが開放されると、ステップＳ６−１６で電話機専用ポートの極性を元の極性に復帰させ、待機状態とする。
【０１６７】
以上により、Ｌモードなどの情報提供サービスによる情報を対応する通信端末装置により受信することができる。
【０１６８】
次に発信電話番号通知サービス時の動作を説明する。
【０１６９】
図２３は発信電話番号通知サービス時の動作説明図を示す。同図中、図２１と同一ステップには同一符号を付し、その説明は省略する。
【０１７０】
発信電話番号通知サービス時には、加入電話回線網１１は、ステップＳ７−４で発信電話番号情報を回線切替装置１４に供給する。回線切替装置１４は、サービス情報を受信すると、ステップＳ７−５で直流ループを開放する。加入電話回線網１１は、回線切替装置１４により直流ループが開放されると、ステップＳ７−６で呼出信号を回線切替装置１４に供給する。
【０１７１】
回線切替装置１４は、ステップＳ７−７で加入電話回線網１１からの呼出信号に応答して直流ループを閉結する。加入電話回線網１１は、回線切替装置１４により直流ループが閉結されると、ステップＳ７−８で極性を元の極性に復帰させ、ステップＳ７−９で加入電話回線網１１と回線切替装置１４とで通話が可能となる。
【０１７２】
回線切替装置１４はステップＳ７−１０で通話が可能となってから所定時間以内に加入電話回線網１１からＩＤ番号が供給されると、ステップＳ７−１１でＩＤ番号に対応する通信機器１３−１２に呼出信号を供給する。通信機器１３−１２がオフフックされると、通信機器１３−１２はステップＳ７−１２で直流ループを閉結する。回線切替装置１４は、通信機器１３−１２との直流ループが閉結されると、ステップＳ７−１３で加入電話回線網１１と通信機器１３−１２とを通話可能に接続する。
【０１７３】
また、回線切替装置１４はステップＳ７−１０で通話が可能となってから所定時間以上加入電話回線網１１からＩＤ番号が供給されなければ、ステップＳ７−２１で予め決められた内線ポートの極性を反転させた後、ステップＳ７−２２で呼出信号を当該内線ポートに出力する。呼出信号により当該内線ポートに接続された電話機１３−１１はステップＳ７−２３で直流ループを閉結する。
【０１７４】
回線切替装置１４は電話機１３−１１の直流ループが閉結されると、ステップＳ７−２４で、ステップＳ７−４で加入電話回線網１１から供給されて記憶されていた発信電話番号情報を電話機１３−１１に送信する。電話機１３−１１は、回線切替装置１４からの発信電話番号情報を受信すると、受信した発信電話番号をディスプレイ上に表示する。
【０１７５】
また、電話機１３−１１は発信電話番号情報を受信すると、ステップＳ７−２５で直流ループを開放する。回線切替装置１４は、電話機１３−１１により直流ループが開放されると、ステップＳ７−２６で呼出信号を電話機１３−１１に供給する。電話機１３−１１は、呼出信号によって鳴動する。
【０１７６】
ここで、電話機１３−１１がオフフックされると、電話機１３−１１はステップＳ７−２７で直流ループを閉結する。回線切替装置１４は、電話機１３−１１により直流ループが閉結されると、ステップＳ７−２８で内線ポートの極性を元の極性に復極させる。これによって、ステップＳ７−２９で加入電話回路網１１と電話機１３−１１とで通話が可能となる。
【０１７７】
以上により発信電話番号通知サービスを享受できる。
【０１７８】
なお、上記発信電話番号通知サービス受信時の回線切替装置１４の処理では、図２３のステップＳ７−５〜Ｓ７−７に示すように直流ループ開放後、加入電話回線網１１からの呼出信号に応答して直流ループを閉結したが、呼出信号を待たずに直流ループを閉結するようにしてもよい。
【０１７９】
図２４は、発信電話番号通知サービス受信時の変形例のシーケンス図を示す。
【０１８０】
本実施例では、回線切替装置１４はステップＳ７−４で発信電話番号情報などのサービス情報を受信すると、ステップＳ８−５で直流ループを開放する。次に回線切替装置１４はステップＳ８−６で呼出信号に応答することなく、直流ループを閉結する。
【０１８１】
本変形例によれば、加入電話回線網１１からの呼出信号を待つ必要がないので、待機時間を削減でき、待機時間を短縮できる。
【０１８２】
【発明の効果】
上述の如く、本発明によれば、通信回線接続ポートからの着信が検出されたとき、通信回線接続ポートから供給される接続元情報に対応する通信端末接続ポートを検索し、通信端末接続ポートに接続された通信端末装置が情報を受信可能な情報受信端末装置か否かを判定し、通信端末接続ポートに接続された通信端末装置が情報受信端末装置である場合には、情報受信端末装置に情報を供給するための着信処理を実行し、通信端末接続ポートに接続された通信端末装置が情報受信端末装置でない場合には、通常の着信処理を実行することにより、通信端末接続ポートに接続された情報受信端末装置で受信する必要がないので、迅速に着信を行わせることができ、また、装置内で発信電話番号又は発信者情報を受信し、その受信内容に基づいて通信端末接続ポートを選択するため、通信端末接続ポートに接続される通信端末装置を自由に設定できるなどの特長を有する。
【０１８３】
本発明によれば、着信検出部で着信が検出されたとき、通信回線ポート側及び複数の通信端末装置ポート側の各々に対して別々に所定の接続シーケンスを実行し、通信回線と通信端末装置との通信を可能とすることにより、情報提供サービスなどによる情報を受信した後に、受信した情報提供サービスに対応する通信端末装置が接続された通信端末ポートに情報を供給できるため、各種情報提供サービスを享受できるなどの特長を有する。
【０１８４】
また、本発明によれば、接続シーケンスにより前記通信回線から得られた情報を記憶する記憶部を設け、記憶部に記憶された情報に基づいて提供されたサービスを判定し、複数の通信端末接続ポートのうちサービスに対応した通信端末装置が接続された通信端末接続ポートに記憶部に記憶された情報を提供することにより、情報提供サービスなどによる情報を受信した後に、受信した情報提供サービスに対応する通信端末装置が接続された通信端末ポートに情報を供給できるため、各種情報提供サービスを享受できるなどの特長を有する。
【０１８５】
さらに、本発明によれば、各種情報提供サービスに対応した通信端末装置で情報を受信できるため、各種情報提供サービスを享受できるなどの特長を有する。
【０１８６】
また、本発明によれば、接続シーケンスにより通信回線から得られた情報が所定の情報提供サービスの情報である場合、通信回線ポートからの呼出信号を待たずに次の接続シーケンスを実行することにより、待ち時間を短縮できるため、接続時間を短縮できるなどの特長を有する。
【図面の簡単な説明】
【図１】電話通信システムのシステム構成図である。
【図２】本発明の回線切替装置の一実施例のブロック構成図である。
【図３】回線切替部１２１のブロック構成図である。
【図４】内線切替部１２２−１のブロック構成図である。
【図５】信号処理部１３１のブロック構成図である。
【図６】モデム部１４１の回路構成図である。
【図７】モデム部１４１の動作波形図である。
【図８】ＭＰＵ１３２の着信時の処理フローチャートである。
【図９】ＭＰＵ１３２の着信時の処理フローチャートである。
【図１０】内線呼出処理のシーケンス図である。
【図１１】情報通知サービス対応内線呼出処理のフローチャートである。
【図１２】内線呼出処理のタイミングチャートである。
【図１３】内線呼出処理のタイミングチャートである。
【図１４】スタートビット検出処理のフローチャートである。
【図１５】スタートビットを説明するための図である。
【図１６】スタートビットを説明するための図である。
【図１７】スタートビット検出処理のフローチャートである。
【図１８】ビット判定処理のフローチャートである。
【図１９】ビット判定処理の変形例の動作説明図である。
【図２０】ビット判定処理の変形例の動作説明図である。
【図２１】本発明の第２実施例の情報提供サービス時の動作説明図である。
【図２２】サービス情報のデータ構成図である。
【図２３】発信電話番号通知サービス時の動作説明図である。
【図２４】発信電話番号通知サービス受信時の変形例のシーケンス図である。
【符号の説明】
１００　回線切替装置、１１１　通信回線接続ポート
１１２−１〜１１２−ｎ　通信端末接続ポート
１１３　切替部、１１４　接続部、１１５　モード切替スイッチ
１１６　識別情報選択スイッチ
１２１　回線切替部、１２２−１〜１２２−ｎ　内線切替部
１２３　リンガ発信器、１２４　スイッチ部
１３１　信号処理部、１３２　ＭＰＵ、１３３　メモリ部
１３４　リレー制御部
【図１】
2004088707.tif 000003
【図２】
2004088707.tif 000004
【図３】
2004088707.tif 000005
【図４】
2004088707.tif 000006
【図５】
2004088707.tif 000007
【図６】
2004088707.tif 000008
【図７】
2004088707.tif 000009
【図８】
2004088707.tif 000010
【図９】
2004088707.tif 000011
【図１０】
2004088707.tif 000012
【図１１】
2004088707.tif 000013
【図１２】
2004088707.tif 000014
【図１３】
2004088707.tif 000015
【図１４】
2004088707.tif 000016
【図１５】
2004088707.tif 000017
【図１６】
2004088707.tif 000018
【図１７】
2004088707.tif 000019
【図１８】
2004088707.tif 000020
【図１９】
2004088707.tif 000021
【図２０】
2004088707.tif 000022
【図２１】
2004088707.tif 000023
【図２２】
2004088707.tif 000024
【図２３】
2004088707.tif 000025
【図２４】
2004088707.tif 000026